(57)【要約】【課題】種々の持ち方のバリエーションにおいて、安定して把持することが可能なヘアドライヤーを提供する。【解決手段】先端に空気吹出し口３を有する筒状の本体部１と、本体部１の後部に設けられた把持用のハンドル部２とを備えたヘアドライヤー１００において、本体部１における、ハンドル部２と空気吹出し口３との間の領域に、掌で把持が可能な大きさに形成された隆起部６が設けられている。この隆起部６は、本体部１とハンドル部２とのつけ根付近から、空気吹出し口３の手前の位置まで延びている。【選択図】図１
0003202331.tif 000002
【実用新案登録請求の範囲】
【請求項１】
先端に空気吹出し口を有する筒状の本体部と、
前記本体部の後部に設けられた把持用のハンドル部と、
を備えたヘアドライヤーにおいて、
前記本体部における、前記ハンドル部と前記空気吹出し口との間の領域に、掌で把持が可能な大きさに形成された隆起部が設けられており、
前記隆起部は、前記本体部と前記ハンドル部とのつけ根付近から、前記空気吹出し口の手前の位置まで延びている、ことを特徴とするヘアドライヤー。
【請求項２】
請求項１に記載のヘアドライヤーにおいて、
前記隆起部の表面は、前記本体部の軸方向に弧状に窪んでおり、前記本体部の径方向に弧状に膨んでいる、ことを特徴とするヘアドライヤー。
【請求項３】
請求項１または請求項２に記載のヘアドライヤーにおいて、
前記隆起部は、前記本体部の軸方向における前記空気吹出し口側の端部に形成された第１のテーパ面と、前記本体部の径方向における両端部にそれぞれ形成された第２のテーパ面とを有している、ことを特徴とするヘアドライヤー。
【請求項４】
請求項１ないし請求項３のいずれかに記載のヘアドライヤーにおいて、
前記本体部と前記ハンドル部により、両者のつけ根の部分に、弧状のコーナーが形成されており、
前記本体部と前記隆起部により、隆起部の空気吹出し口側の端部に、弧状の段部が形成されている、ことを特徴とするヘアドライヤー。
【請求項５】
請求項１ないし請求項４のいずれかに記載のヘアドライヤーにおいて、
前記本体部の前記空気吹出し口と反対側に、前記ハンドル部を手で把持した状態で親指をあてがうための窪みが設けられている、ことを特徴とするヘアドライヤー。
【請求項６】
請求項１ないし請求項５のいずれかに記載のヘアドライヤーにおいて、
前記本体部と前記ハンドル部とが一体に形成されており、
前記ハンドル部の長さは前記本体部の長さよりも短い、ことを特徴とするヘアドライヤー。
【考案の詳細な説明】
【技術分野】
【０００１】
本考案は、一般家庭や美容院・理髪店などで用いられるヘアドライヤーに関する。
【背景技術】
【０００２】
ヘアドライヤーとして、従来より種々のものが知られている（たとえば、特許文献１〜３）。一般に、ヘアドライヤーは、発熱体や送風ファンなどを内蔵した筒状の本体部と、この本体部の後部に設けられた把持用のハンドル部とを備えている。そして、ハンドル部を手で把持した状態で、当該ハンドル部に設けられているスイッチを操作することで、本体部の先端の空気吹出し口から温風（または冷風）を吹き出して、頭髪を乾燥させる。また、ヘアドライヤーには、頭髪を乾燥させるだけでなく、空気吹出し口から風とともにマイナスイオンや遠赤外線などを排出して、頭髪をケアする機能を備えたものがある（たとえば、特許文献４、５）。
【０００３】
ヘアドライヤーは、ハンドル部を握った状態で使用するのが普通である。しかしながら、ハンドル部を握った状態では、手のわずかな動きによって本体部先端の空気吹出し口の位置にブレが生じ、安定した乾燥作業やケア作業に支障が生じることがある。また、美容院や理髪店においては、美容師や理容師によってヘアドライヤーの持ち方も異なる。たとえば、作業をしやすいように、ハンドル部ではなく本体部を手で把持して、ヘアドライヤーを使用することがある。また、同じ本体部でも、前側を把持する場合もあれば、後側を把持する場合もあるなど、人や作業によって把持位置も異なる。
【０００４】
このように、ヘアドライヤーの持ち方には種々のバリエーションがあるが、従来は、このようなバリエーションにおいて、ヘアドライヤーを安定して把持するための考慮が払われていなかった。
【先行技術文献】
【特許文献】
【０００５】
【特許文献１】特開２００１−２９９４３５号公報
【特許文献２】特開２００６−３１４７８７号公報
【特許文献３】特許第２７６９５８１号公報
【特許文献４】実用新案登録第３０９０９７９号公報
【特許文献５】実用新案登録第３０７７９１０号公報
【考案の概要】
【考案が解決しようとする課題】
【０００６】
本考案は、上記の問題点に鑑み、種々の持ち方のバリエーションにおいて、安定して把持することが可能なヘアドライヤーを提供することを課題としている。
【課題を解決するための手段】
【０００７】
本考案に係るヘアドライヤーは、先端に空気吹出し口を有する筒状の本体部と、この本体部の後部に設けられた把持用のハンドル部とを備えたヘアドライヤーであって、本体部におけるハンドル部と空気吹出し口との間の領域に、掌で把持が可能な大きさに形成された隆起部が設けられている。この隆起部は、本体部とハンドル部とのつけ根付近から、空気吹出し口の手前の位置まで延びている。
【０００８】
このようにすると、ハンドル部を持つ以外に、隆起部を掌によって把持したり、空気吹出し口と隆起部との間を指で把持したりする持ち方が可能となるとともに、掌による隆起部の把持や、隆起部の端部と指との係合によって、ヘアドライヤーを安定した状態に保持することができる。
【０００９】
本考案では、隆起部の表面は、本体部の軸方向に弧状に窪んでおり、本体部の径方向に弧状に膨んでいることが好ましい。
【００１０】
本考案では、隆起部は、本体部の軸方向における空気吹出し口側の端部に形成された第１のテーパ面と、本体部の径方向における両端部にそれぞれ形成された第２のテーパ面とを有していてもよい。
【００１１】
本考案では、本体部とハンドル部により、両者のつけ根の部分に弧状のコーナー部が形成され、本体部と隆起部により、隆起部の空気吹出し口側の端部に弧状の段部が形成されていることが好ましい。
【００１２】
本考案では、本体部の空気吹出し口と反対側に、ハンドル部を手で把持した状態で親指をあてがうための窪みが設けられていることが好ましい。
【００１３】
本考案では、本体部とハンドル部とが一体に形成されており、ハンドル部の長さは本体部の長さよりも短いことが好ましい。
【考案の効果】
【００１４】
本考案によれば、種々の持ち方のバリエーションにおいて、安定して把持することが可能なヘアドライヤーを提供することができる。
【図面の簡単な説明】
【００１５】
【図１】本考案によるヘアドライヤーの外観を示した斜視図である。
【図２】同ヘアドライヤーの正面図である。
【図３】同ヘアドライヤーの左側面図である。
【図４】同ヘアドライヤーの右側面図である。
【図５】同ヘアドライヤーの底面図である。
【図６】ヘアドライヤーの把持状態を示した図である。
【図７】ヘアドライヤーの他の把持状態を示した図である。
【図８】ヘアドライヤーの他の把持状態を示した図である。
【図９】ヘアドライヤーの他の把持状態を示した図である。
【考案を実施するための形態】
【００１６】
以下、本考案の実施形態につき、図面を参照しながら説明する。各図において、同一の部分または対応する部分には、同一符号を付してある。
【００１７】
図１に示すように、ヘアドライヤー１００は、円筒状の本体部１と、把持用のハンドル部２とを備えている。本体部１の先端には、空気吹出し口３が設けられており、この空気吹出し口３には格子状のグリル４が配設されている。本体部１の内部には、図示しない発熱部（ヒータ）、送風ファン、モータなどのほか、マイナスイオン発生用のセラミック部材や、遠赤外線発生用のセラミック部材などが収納されている。本体部１の空気吹出し口３と反対側には、キャップ状のカバー５が着脱自在に装着されている。このカバー５には、図４に示すように、本体部１内に空気を導入するための多数の透孔５ａが形成されている。
【００１８】
ハンドル部２は、本体部１の後部（空気吹出し口３と反対側）に設けられている。このハンドル部２には、電源のオン・オフや温風の風量の切り替えを行うための主操作スイッチ７と、冷風吹出し用の補助操作スイッチ８とが設けられている。また、ハンドル部２の下端には、図４および図５に示すように、開口部１３が形成されており、この開口部１３から図示しない電源コードが引き出されている。本体部１とハンドル部２とは、縦割りの一対の合成樹脂製のケースを接合することで、一体に形成されている。図３ないし図５における符号１０は、一対のケースの接合部を表している。図２に示すように、ハンドル部２の長さ（縦方向の長さ）は、本体部１の長さ（横方向の長さ）よりも短くなっている。
【００１９】
図１および図２に示すように、本体部１の下面には、隆起部６が設けられている。この隆起部６は、ハンドル部２と空気吹出し口３との間の領域において、本体部１と一体に形成されており、本体部１とハンドル部２とのつけ根付近から、空気吹出し口３の手前の位置まで延びている。また、隆起部６は、掌で把持が可能な大きさとなっている。
【００２０】
図５に示すように、隆起部６は、表面６ａと、本体部１の軸方向（図５で左右方向）における空気吹出し口３側の端部に形成されたテーパ面６ｂ（第１のテーパ面）と、本体部１の径方向（図５で上下方向）における両端部にそれぞれ形成されたテーパ面６ｃ、６ｃ（第２のテーパ面）とを有している。図２に示すように、隆起部６の表面６ａは、本体部１の軸方向（図２で左右方向）に弧状に窪んでいるとともに、図３に示すように、本体部１の径方向（図３で左右方向）に弧状に膨んでいる。
【００２１】
図２に示すように、本体部１とハンドル部２により、両者のつけ根の部分に、弧状のコーナー部（凹部）１１が形成されている。また、本体部１と隆起部６により、隆起部６の空気吹出し口３側の端部に、弧状の段部（凹部）１２が形成されている。さらに、本体部１の空気吹出し口３と反対側のカバー５には、図４に示すように、ハンドル部２を手で把持した状態で親指をあてがうための窪み９が設けられている。
【００２２】
上記のような構造を有するヘアドライヤー１００においては、図６ないし図９に示すような４通りの持ち方が可能となる。
【００２３】
図６は、ハンドル部２を手２０の５本の指で把持した状態を示している。これは、ヘアドライヤー１００のもっとも一般的な持ち方である。
【００２４】
図７は、ハンドル部２を手２０の親指２１を除く４本の指で把持し、親指２１を、カバー５に設けられた窪み９（図４参照）にあてがった状態を示している。これは、ハンドル部２とカバー５の２箇所でヘアドライヤー１００を支えるので、手の力の弱い者（女性など）にとって楽な持ち方である。
【００２５】
図８は、ハンドル部２を持たずに、本体部１を手２０の指と掌で把持した状態を示している。ここでは、本体部１とハンドル部２のつけ根のコーナー部１１に、親指２１と人差し指（図示省略）の谷間が係合されている。これによって、ヘアドライヤー１００を任意の傾斜姿勢で安定して保持することができる。また、本体部１の下側にある隆起部６が掌によって把持されるので、ヘアドライヤー１００をより一層安定な状態で保持することができる。この場合、隆起部６の表面６ａは、本体部１の軸方向に弧状に窪み径方向に弧状に膨んでいるので、掌でしっかりと把持することができる。さらに、コーナー部１１は弧状に形成されているので、指の谷間との係合を円滑に行うことができる。
【００２６】
図９は、本体部１の空気吹出し口３と隆起部６との間を、手２０の親指２１と人差し指２２とで把持した状態を示している。ここでは、本体部１と隆起部６とで形成される段部１２に、親指２１と人差し指２２の谷間が係合されている。これによって、ヘアドライヤー１００を任意の傾斜姿勢で安定して保持することができる。特に、空気吹出し口３の近傍を把持することで、空気吹出し口３の位置決めが容易となる。また、段部１２は弧状に形成されているので、指の谷間との係合を円滑に行うことができる。
【００２７】
以上のように、本考案のヘアドライヤー１００によれば、種々の持ち方のバリエーションにおいて、ヘアドライヤーを安定して把持することが可能となる。
【００２８】
また、上記実施形態では、本体部１とハンドル部２とが一体に形成されていて、しかも、ハンドル部２の長さが本体部１の長さよりも短くなっているので、ヘアドライヤー１００を過って落下させた場合でも、ハンドル部２を根元から折れにくくすることができる。
【００２９】
本考案は、上述した以外にも種々の実施形態を採用することができる。たとえば、上記実施形態では、隆起部６を本体部１と一体に形成した例を挙げたが、隆起部６を本体部１と別体に形成して、接着やねじ止めなどにより本体部１に固定してもよい。
【００３０】
また、上記実施形態では、隆起部６の表面６ａが本体部１の軸方向に弧状に窪んでいる例を挙げたが（図２）、隆起部６の表面６ａは本体部１の軸方向に平坦であってもよいし、弧状に膨らんでいてもよい。同様に、上記実施形態では、隆起部６の表面６ａが本体部１の径方向に弧状に膨んでいる例を挙げたが（図３）、隆起部６の表面６ａは本体部１の径方向に平坦であってもよいし、弧状に窪んでいてもよい。
【００３１】
また、上記実施形態では、隆起部６が、本体部１とハンドル部２とのつけ根付近から、空気吹出し口３の手前の位置まで連続して延びている例を挙げたが、隆起部６は途中で分断されていてもよい。
【００３２】
また、上記実施形態では、本体部１と別にカバー５が設けられているが、本体部１とカバー５とを一体化してもよい。さらに、上記実施形態では、本体部１が円筒状に形成されているが、本体部１は筒状であればよく、円筒以外の形状であってもよい。
【００３３】
また、上記実施形態では、本体部１にマイナスイオンや遠赤外線を発生する部材を内蔵したヘアドライヤー１００を例に挙げたが、本考案は、マイナスイオンや遠赤外線を発生する機能を有しないヘアドライヤーにも適用することができる。
【符号の説明】
【００３４】
１    本体部
２    ハンドル部
３    空気吹出し口
６    隆起部
６ａ  表面
６ｂ  テーパ面（第１のテーパ面）
６ｃ  テーパ面（第２のテーパ面）
９    窪み
１１  コーナー部
１２  段部
１００  ヘアドライヤー
【図１】
0003202331.tif 000003
【図２】
0003202331.tif 000004
【図３】
0003202331.tif 000005
【図４】
0003202331.tif 000006
【図５】
0003202331.tif 000007
【図６】
0003202331.tif 000008
【図７】
0003202331.tif 000009
【図８】
0003202331.tif 000010
【図９】
0003202331.tif 000011